【事件の表示】
　特願２００１−１３０６７６「パチンコ機」拒絶査定不服審判事件〔平成１３年１２月２５日出願公開、特開２００１−３５３３１８〕について、次のとおり審決する。
【結　論】
　本件審判の請求は、成り立たない。
【理　由】
１　手続の経緯
　本願は、平成６年４月２８日に出願した特願平６−１１１８３６号の一部を平成１３年４月２７日に新たな特許出願としたものであって、平成１６年８月１７日付で拒絶査定がなされ、これに対し、同年９月２４日に拒絶査定に対する審判請求がなされるとともに、同年１０月２５日付で手続補正がなされたものである。
　
２　平成１６年１０月２５日付の手続補正について
　
［補正却下の決定の結論］　
　平成１６年１０月２５日付の手続補正を却下する。 
　
［理由］
（１）補正の目的について
　平成１６年１０月２５日付でなされた補正（以下、「本件補正」という）により、特許請求の範囲の請求項１は、次のとおりに補正された。
　
　「上横枠部分と左右の縦枠部分と下板部によって前枠の主体となる額縁型の前枠基板を形成し、該前枠基板に形成される窓部にその上方部分を被うガラス枠ユニットと下方部分を被う上受皿ユニットをそれぞれ一側縁を前記前枠基板の一側縁に蝶着して開閉自由に備え、また前記下板部の前面には下受皿ユニットを一体に止着して前記前枠基板の前面全体を前記ガラス枠ユニット、上受皿ユニット及び下受皿ユニットによって被い隠す一方、前記ガラス枠ユニットは合成樹脂製の額縁型をなすガラス枠ベース本体を主体にしてその前面の上部に天ランプカバーを、また左右に左ランプカバーと右ランプカバーを各止着して門形に配置し、また前記上受皿ユニットは合成樹脂製のベース基板とその前面を被う前面カバーから構成して該前面カバーの前面に前記左ランプカバーの下端に連続する上皿ランプカバーを、また前記右ランプカバーの下端に連続する上皿飾りカバーを各止着し、更に前記下受皿ユニットは合成樹脂製のベース部に下皿を一体に備えると共に該ベース部の前面から前記下皿の前面に亘って前記上皿飾りカバーの下端に連続する下皿飾りカバーを止着し、前記前枠基板の前面を一つに連続して配置される前記各ランプカバーと飾りカバーによって被い飾り、前記前枠の前面に装着される前記ガラス枠ユニットと、上受皿ユニット及び下受皿ユニットの三者を一体化し、前枠を構成してなることを特徴としたパチンコ機。」
　
　上記補正は、平成１６年４月２６日付の手続補正書の特許請求の範囲の請求項１に記載された「ガラスレール枠」に関する構成を削除するものである。
　ところで、拒絶査定不服審判を請求する場合にする補正は、平成６年改正前特許法第１７条の２第２項で準用する同法第１７条第２項の規定により、願書に最初に添付した明細書又は図面に記載した事項の範囲内においてしなければならないだけでなく、同法第１７条の２第３項各号に掲げる事項を目的とするものに限られている。
　そして、補正前の請求項１に係る発明の構成の一部を削除する本件補正は、同法第１７条の２第３項第２号に規定する限定的減縮を目的とするものに該当しないばかりでなく、同法第１７条の２第３項のその他各号に規定する、請求項の削除、誤記の訂正、明りようでない記載の釈明を目的とする補正でないことも明らかであるから、本件補正は、同法第１７条の２第３項各号のいずれにも適合しない。
　
（２）むすび
　以上のとおり、本件補正は、平成６年改正前特許法第１７条の２第３項の規定に違反するものであるから、特許法第１５９条第１項の規定において読み替えて準用する同法第５３条第１項の規定により却下されるべきものである。 
　
３　本願発明について 
　平成１６年１０月２５日付の手続補正は上記のとおり却下されたので、本願の請求項１に係る発明は、平成１６年４月２６日付けの手続補正書の特許請求の範囲の請求項１に記載されたとおりのもの（以下、「本願発明」という）と認める。
　
　「それぞれ板状をなす上横枠部分と左右の縦枠部分と下板部とによって窓部を有する額縁型をなす前枠の主体を構成する前枠基板を形成し、該前枠基板に対し前記窓部の上方部分を被うガラス枠ユニットと下方部分を被う上受皿ユニットとをそれぞれ一側縁を蝶着し開閉自由に備え、また前記下板部の前面に下受皿ユニットを一体に止着することにより前記前枠基板の前面の全体をこれらガラス枠ユニット、上受皿ユニット及び下受皿ユニットにより被い隠す一方、前記ガラス枠ユニットは合成樹脂製の額縁型のガラス枠ベース本体を主体にしてその背面にガラスを装着する矩形のガラスレール枠を添わせると共に、前記ガラス枠ユニットの前面にはランプカバーを止着し、また前記上受皿ユニットは合成樹脂製のベース基板とその前面の前面カバーから構成して該前面カバーの前面に上皿ランプカバーと上皿飾りカバーを備え、更に前記下皿ユニットは合成樹脂製のベース部に下皿を一体に備え、該ベース部の前面に下皿飾りカバーを備えてこれらランプカバー及び飾りカバーによって前記前枠の前面を飾ると同時に、前記ガラス枠ユニットと上受皿ユニットに備える各ランプカバーはそれぞれ相互の端部を衝き合せ状に連続させ、また前記上受皿ユニットの飾りカバーと前記下受皿ユニットの前面に備える下皿飾りカバーとを同じく衝き合せ状に連続させて前記前枠前面に配設されるランプカバーと上受皿及び下受皿ユニットの各飾りカバーの連続によって前枠の前面を被う前記ガラス枠ユニット、上受皿ユニット、下受皿ユニットの三者の装飾を揃え、前枠の全面を統一した意匠で飾ることを特徴としたパチンコ機。」
　
４　引用例
　原査定の拒絶の理由に引用された、特開平５−６８７３７号公報（以下、「引用例１」という）には、図面とともに、以下の事項が記載されている。
　
　ア．「【０００６】【実施例】以下、本発明を図示の実施例について説明すると、図１は本発明に係るパチンコ機１の概略斜視図であって、このパチンコ機１は外観上、外枠２とこの外枠２に開閉自在に蝶着される前面枠３と、上皿等を設けた上皿セット４と、下皿及び操作ハンドル等を設けた下皿セット５とに大別できる。・・・」
　イ．「【００１２】上記のような外枠２に蝶着する前面枠３は、金属製のフレーム３１と合成樹脂製の飾り部材３２とからなる。上記フレーム３１は、概説すると左右の縦フレーム材３１１，３１２と、上下の横フレーム材３１３，３１４と、中段より下横フレーム材３１４に寄った横位置に設ける中フレーム材３１５とを矩形に組み付けてなる。尚、図示の実施例ではＬ字状のフレーム材を示しているが、コ字状のフレーム材で構成してもよい。」
　ウ．「【００１８】中フレーム材３１５を左縦フレーム材３１１に取り付ける中結合部材３８は、側面形状がほゞＬ字状の部材であって、左縦フレーム材３１１に止着する止着部３８１の下縁から前向きに上皿セット４を下側から支える受板部３８２が延出し、止着部３８１の側方には中フレーム材３１５に止着する取付片３８３が延出している。尚、上記受板部３８２には軸孔３８４を開設し、中結合部材３８の適宜位置には取付孔及び位置決め手段を設ける。
【００１９】更に、左縦フレーム材３１１の中程には、上記中結合部材３８に対向するように、上皿ヒンジ兼ガラス枠ヒンジ材３９を設ける。このヒンジ材３９は左縦フレーム材３１１に止着する止着部３９１と、この止着部３９１の上縁から前方へ延出するヒンジ片３９２とを有し、該ヒンジ片３９２にはブッシュ３９３を介在させて軸受部３９４を形成する。」
　エ．「【００２２】上記のようにして組み立てたフレーム３１には、飾り部材３２及び外部表示灯ユニット７を取り付けて前面枠３を構成する。即ち、左縦フレーム材３１１の起立リブ３１１ａには側面を覆う飾り部材３２として左飾枠３２１を設け、右縦フレーム材３１２には側面及び前面を覆う右飾枠３２２を設け、上横フレーム材３１３の前面にはランプカバー７１内にランプ７２を収設した外部表示灯ユニット７を設ける。
【００２３】上記外部表示灯ユニット７は、ランプ７２を並設したランプ基板７３と、上横フレーム材３１３の前面に設けて上記ランプ基板７３の台座となるユニット基板７４と、ランプ基板７３を覆うようにユニット基板７４に取り付けるランプカバー７１とからなる。・・・」
　オ．「【００２８】上皿セット４は、ガラス枠兼上皿ヒンジ３９と中結合部材３８の受板部３８２との間に開閉可能に軸着される賞球を貯留する上皿部４１を有したユニットであって、概略すると金属板からなる上皿セット取付板４２と、この上皿セット取付板４２の前面に設ける合成樹脂を一体成型して構成した上皿本体４３と、この上皿本体４３の前端面に設ける合成樹脂製の前カバー４４とからなる（図２１ないし図２４）。」
　カ．「【００３４】下皿セット５は、中フレーム材３１５の下方に配置するユニットであって、概略すると、余剰球を貯留する凹陥状の下皿部５１を有し、中フレーム材３１５及び下横フレーム材３１４に止着する下皿ベース５２と、この下皿ベース５２に止着する下皿本体５３と、この下皿本体５３に止着する下皿カバー５４とからなる。・・・」
　キ．「【００３９】ガラス枠８は、外枠体８１に装飾体８２を止着して構成した外ガラス枠８３と、上記外ガラス枠８３に重合状に止着する内ガラス枠８４とからなり、両ガラス枠８３，８４には各々ガラス板８５ａ，８５ｂを装着して二重構造としてある。そして、このガラス枠８はヒンジ手段８６、８７により外部表示灯ユニット７と上皿セット４との間に開閉自在に蝶着する。
【００４０】外枠体８１は、合成樹脂を額縁状に一体成型して構成した部材であって、左右の縦枠部８１１，８１２と上下の横枠部８１３，８１４とを有している。・・・」
　ク．「【００４９】内ガラス枠８４を構成する内枠体は、合成樹脂を額縁状に一体成型して構成した部材であって、左右の縦枠部８４１，８４２と上下の横枠部８４３，８４４とを有している。・・・」
　ケ．「【００５３】前記したような外ガラス枠８３を、前面枠３、具体的にはフレーム材の上蝶番３５と、中フレーム材３１５のガラス枠兼上皿ヒンジ３９に開閉自在に軸着する・・・」
　
　上記ア〜ケの記載事項によれば、引用例１には次の発明（以下、「引用発明１」という）が記載されているものと認められる。
　
　「左右の縦フレーム材３１１，３１２と、上下の横フレーム材３１３，３１４と、中段より下横フレーム材３１４に寄った横位置に設ける中フレーム材３１５とを矩形に組み付けてなる金属製のフレーム３１をＬ字状のフレーム材で構成し、
　フレーム３１に取り付けた外部表示灯ユニット７は、ランプ７２を並設したランプ基板７３と、上記ランプ基板７３の台座となるユニット基板７４と、ランプ基板７３を覆うようにユニット基板７４に取り付けるランプカバー７１とからなり、
　ガラス枠８をフレーム材の上蝶番３５とガラス枠兼上皿ヒンジ３９に、ヒンジ手段８６、８７により外部表示灯ユニット７と上皿セット４との間に開閉自在に蝶着し、
　上皿セット４を左縦フレーム材３１１に設けたガラス枠兼上皿ヒンジ３９と中結合部材３８の受板部３８２との間に開閉可能に軸着し、
　下皿セット５を中フレーム材３１５の下方に配置し、
　ガラス枠８は、外枠体８１に装飾体８２を止着して構成した外ガラス枠８３と、外ガラス枠８３に重合状に止着する内ガラス枠８４とからなり、両ガラス枠８３，８４には各々ガラス板８５ａ，８５ｂを装着して二重構造としてあり、外枠体８１は、合成樹脂を額縁状に一体成型して構成した部材であって、内ガラス枠８４を構成する内枠体は、合成樹脂を額縁状に一体成型して構成した部材であり、
　上皿セット４は、金属板からなる上皿セット取付板４２と、この上皿セット取付板４２の前面に設ける合成樹脂を一体成型して構成した上皿本体４３と、この上皿本体４３の前端面に設ける合成樹脂製の前カバー４４とからなり、
　下皿セット５は、下皿部５１を有し、下皿ベース５２と、この下皿ベース５２に止着する下皿本体５３と、この下皿本体５３に止着する下皿カバー５４とからなるパチンコ機１。」
　
　また、原査定の拒絶の理由に引用された、特開平４−３７１１８３号公報（以下、「引用例２」という）には、図面とともに、以下の事項が記載されている。
　
　ａ．「【００１２】更に、上皿部６の下方には、上皿飾り板部１１が延設されている。この上皿飾り板部１１は、上皿部６のほぼ全長に亘って下方に延設され、特に前面扉板５の軸支側に近い上皿飾り板部１１は、前方に突出する上皿隔壁部１２となっており、また、前面扉板５の開放側に近い上皿飾り板部１１は、更に下方に延設される表示レンズ部１３となっている。この表示レンズ部１３は、図３に示すように、扉保持枠３の下辺の一部を切り欠いて形成される切欠部２５に臨む照明ランプ２６によってその裏面から照射されて所定の情報を表示すると共に、前記扉保持枠３の下辺の一部（右側約１／３）の前方を被覆するようになっている。なお、表示レンズ部１３を除く上皿飾り板部１１は、前面扉板５の下辺部まで延設されており、前面扉板５が閉じられたときに後述する下皿飾り板部２３の上端縁と対面して上皿部６と下皿部１４とが一体化されて形成されているような印象を遊技者に与えている。・・・」
　
５　対比
　本願発明と引用発明１を比較する。
　引用発明１の「左右の縦フレーム材３１１，３１２」は本願発明の「左右の縦枠部分」に相当し、以下同様に、「横フレーム材３１３」は「上横枠部分」に、「フレーム３１」は「前枠の主体を構成する前枠基板」に、「ガラス枠８」は「ガラス枠ユニット」に、「上皿セット４」は「上受皿ユニット」に、「軸着」は「蝶着」に、「下皿セット５」は「下受皿ユニット」に、「外ガラス枠８３」は「ガラス枠ベース本体」に、「内ガラス枠８４」は「ガラスレール枠」に、「上皿セット取付板４２」は「ベース基板」に、「前カバー４４」は「前面カバー」に、「下皿ベース５２」は「ベース部」に、「下皿本体５３」は「下皿」に、「パチンコ機１」は「パチンコ機」にそれぞれ相当し、さらに以下のことが言える。
　引用発明１の「フレーム３１」の各フレーム材は「Ｌ字状」に構成されており、Ｌ字状とは２つの「板状」部分から形成されるものであるから、各フレーム材は、それぞれ「板状」をなしていると言うことができる。また、引用発明１の「フレーム３１」は各フレーム材を「矩形」に組み付けており、「窓部を有する額縁型」をなしていると表現することができる。さらに、引用発明１の「下横フレーム材３１４」と「中フレーム材３１５」とを併せてフレーム３１の「下部構成部」と言うことができ、本願発明の「下板部」と上位概念で共通している。よって、引用発明１は「それぞれ板状をなす上横枠部分と左右の縦枠部分と下部構成部とによって窓部を有する額縁型をなす前枠の主体を構成する前枠基板を形成し」た構成を実質的に備えており、この点で本願発明と共通している。
　引用発明１の「下皿セット５を中フレーム材３１５の下方に配置し」た構成は、本願発明の「下板部（上述のとおり「下部構成部」と換言される）の前面に下受皿ユニットを一体に止着する」構成に対応する。また、引用発明１の「フレーム３１」が「ガラス枠８」「上皿セット４」及び「下皿セット５」により被い隠されることは、引用例１の図１及び図４等から明らかであるから、引用発明１は、本願発明の「前枠基板の前面の全体をこれらガラス枠ユニット、上受皿ユニット及び下受皿ユニットにより被い隠す」に対応する構成を実質的に備えている。
　引用発明１の「ガラス枠８」は「外ガラス枠８３と、外ガラス枠８３に重合状に止着する内ガラス枠８４」とからなるものであり、「外ガラス枠８３」を構成する「外枠体８１」は「合成樹脂を額縁状に一体成型して構成した部材」である。また、「内ガラス枠８４を構成する内枠体は、合成樹脂を額縁状に一体成型して構成した部材」であり、「内ガラス枠８４」には「ガラス板８５ｂ」が装着される。そして、「額縁状」は「額縁型」又は「矩形」と表現することができるから、引用発明１は、本願発明の「ガラス枠ユニットは合成樹脂製の額縁型のガラス枠ベース本体を主体にしてその背面にガラスを装着する矩形のガラスレール枠を添わせる」に対応する構成を実質的に備えている。
　
　したがって、両者は、
　「それぞれ板状をなす上横枠部分と左右の縦枠部分と下部構成部とによって窓部を有する額縁型をなす前枠の主体を構成する前枠基板を形成し、該前枠基板に対し前記窓部の上方部分を被うガラス枠ユニットと下方部分を被う上受皿ユニットとをそれぞれ一側縁を蝶着し開閉自由に備え、また前記下部構成部の前面に下受皿ユニットを一体に止着することにより前記前枠基板の前面の全体をこれらガラス枠ユニット、上受皿ユニット及び下受皿ユニットにより被い隠す一方、前記ガラス枠ユニットは合成樹脂製の額縁型のガラス枠ベース本体を主体にしてその背面にガラスを装着する矩形のガラスレール枠を添わせ、また前記上受皿ユニットはベース基板とその前面の前面カバーから構成し、更に前記下皿ユニットはベース部に下皿を一体に備えたパチンコ機。」
で一致し、以下の点で相違する。
　
（相違点１）
　前枠基板を形成する下部構成部が、本願発明では、「下板部」であるのに対して、引用発明１では、「下横フレーム材３１４」と「中フレーム材３１５」とで構成されている点。
　
（相違点２）
　上受皿ユニットのベース基板及び下皿ユニットのベース部について、本願発明では、どちらも合成樹脂製であるのに対して、引用発明１では、上受皿ユニットのベース基板は金属板であり、下皿ユニットのベース部はその素材が明らかでない点。
　
（相違点３）
　本願発明では、ガラス枠ユニットの前面にはランプカバーを止着し、上受皿ユニットの前面カバーの前面に上皿ランプカバーと上皿飾りカバーを備え、下皿ユニットのベース部の前面に下皿飾りカバーを備えており、これらランプカバー及び飾りカバーによって前枠の前面を飾ると同時に、ガラス枠ユニットと上受皿ユニットに備える各ランプカバーはそれぞれ相互の端部を衝き合せ状に連続させ、また上受皿ユニットの飾りカバーと下受皿ユニットの前面に備える下皿飾りカバーとを同じく衝き合せ状に連続させて前枠前面に配設されるランプカバーと上受皿及び下受皿ユニットの各飾りカバーの連続によって前枠の前面を被うガラス枠ユニット、上受皿ユニット、下受皿ユニットの三者の装飾を揃え、前枠の全面を統一した意匠で飾るのに対して、引用発明１では、フレーム３１に取り付けた外部表示灯ユニット７にランプカバー７１を有しているのみである点。
　
６　当審の判断
　上記相違点１について検討する。
　引用発明１の「下横フレーム材３１４」及び「中フレーム材３１５」は、その前面に「下皿セット５」（本願発明の「下受皿ユニット」に相当する）を一体に止着するものであり、その点で本願発明の「下板部」と共通している。そして、下受皿ユニットを一体に止着するために、前枠基板の下部構成部を引用発明１のように二つのフレーム材からなる構成とするか、本願発明の下板部のように幅広な板状とするかは、単なる設計的事項にすぎない。よって、上記相違点１にかかる本願発明の構成は、当業者であれば容易に想到しえたものである。
　
　次に上記相違点２について検討する。
　上受皿ユニットのベース基板及び下皿ユニットのベース部を含むパチンコ機の構成部材は、必要とされる強度や経済性等を考慮しつつ当業者によって適宜その素材が選択されるのであり、上受皿ユニットのベース基板及び下皿ユニットのベース部を周知慣用の素材である合成樹脂製とした点に格別のものは見出せない。よって、上記相違点２にかかる本願発明の構成は、当業者であれば容易に想到しえたものである。
　
　最後に上記相違点３について検討する。
　パチンコ機の前枠の前面をランプカバー及び／又は飾りカバーによって飾ることは、例えば、特開平６−４７１６４号公報（盤面露出部２０及び上球皿３０を囲むループ状に形成された内部に照明部材を内装した飾り材４０。段落００１５等及び図１〜４参照）及び特開平６−６３２３３号公報（ガラス保持枠１３の中央の開口部を囲うように取付けられた蛍光管１５ａ〜１５ｄ及び装飾カバー部材としての機能を果たす蛍光管収納枠１４。段落００１１等及び図１，２等参照）に示されるとおり、従来周知の技術である。
　また、引用例２の上記摘示事項ａには、「上皿部６の上皿飾り板部１１を延設して、下皿部１４の下皿飾り板部２３の上端縁と対面して上皿部６と下皿部１４とが一体化されて形成されているような印象を遊技者に与える」という技術事項が開示されている。そして、該技術事項における「上皿部６」「上皿飾り板部１１」「下皿部１４」及び「下皿飾り板部２３」はそれぞれ本願発明の「上受皿ユニット」「上皿飾りカバー」「下受皿ユニット」及び「下皿飾りカバー」に対応するものである。また、「上皿飾り板部１１を延設して・・・下皿飾り板部２３の上端縁と対面」することは、両者を「衝き合せ状に連続させ」ることに他ならず、「一体化されて形成されているような印象を遊技者に与える」ことは、「装飾を揃え」「統一した意匠で飾る」ことと実質的に異ならない。よって、引用例２には、「上受皿ユニットの飾りカバーと下受皿ユニットの前面に備える下皿飾りカバーとを衝き合せ状に連続させて上受皿ユニット、下受皿ユニットの装飾を揃え、前枠を統一した意匠で飾る」という技術事項が開示されている。
　そして、引用発明１における「外部表示灯ユニット７」に「ランプカバー７１」を取り付けた構成に換えて、上記周知技術のように「パチンコ機の前枠の前面をランプカバー及び／又は飾りカバーによって飾る」構成を適用して、ガラス枠ユニット、上受皿ユニット及び下受皿ユニットのそれぞれをランプカバー及び／又は飾りカバーによって飾るようにし、その適用の際に、引用例２に記載の上記技術事項を参酌しつつ、各ランプカバー及び／又は各飾りカバーを衝き合せ状に連続させて、ガラス枠ユニット、上受皿ユニット、下受皿ユニットの三者の装飾を揃え、前枠の全面を統一した意匠で飾るようにすることは、当業者であれば容易になしえるものである。よって、上記相違点３にかかる本願発明の構成は、当業者であれば容易に想到しえたものである。
　
　また、本願発明の作用効果も引用発明１、引用例２に記載された上記技術事項及び上記周知技術から当業者が予測できる範囲のものである。
　
６　むすび
　したがって、本願発明は引用発明１、引用例２に記載された技術事項及び周知技術に基づいて当業者が容易に発明をすることができたものであるから、特許法第２９条第２項に規定により特許を受けることができないものであり、本願の他の請求項に係る発明について検討するまでもなく、本願は拒絶すべきものである。
　よって、結論のとおり審決する。